(57)【特許請求の範囲】
【請求項１】
海水を利用する復水器の清浄度を管理する復水器清浄度管理装置であって、
日付ごとの時刻に対応付けて潮位を予め算出した潮位表を記憶する潮位表記憶手段と、
前記復水器の清浄度を算出するためのデータを計測する計測手段と、
前記計測手段によって計測されたデータの所定時間の平均値と、算出において用いられる固定値である設定値とに基づいて、前記復水器の清浄度を算出する清浄度算出手段と、
前記潮位表記憶手段に基づいて、冷却水流量の前記固定値に対応するポンプ全揚程の値になるように設定された所定の潮位と同じ潮位になる日付及び時間帯を抽出する時間帯抽出手段と、
前記時間帯抽出手段によって抽出された日付及び時間帯に前記計測手段によって計測されたデータを用いて、前記復水器の清浄度を算出するように前記清浄度算出手段の算出を制御する清浄度算出制御手段と、
を備える復水器清浄度管理装置。
【請求項２】
前記時間帯抽出手段によって抽出された日付及び時間帯のうちから、前記所定時間における潮位の変動差が所定の範囲内である日付及び時間帯を抽出する変動範囲内時間帯抽出手段をさらに備え、
前記清浄度算出制御手段は、前記変動範囲内時間帯抽出手段によって抽出された日付及び時間帯に前記計測手段によって計測されたデータを用いて、前記復水器の清浄度を算出するように前記清浄度算出手段の算出を制御する、
請求項１に記載の復水器清浄度管理装置。
【請求項３】
前記変動範囲内時間帯抽出手段によって抽出された日付及び時間帯のうちから、潮位の頂点の時刻を含む日付及び時間帯を抽出する頂点時間帯抽出手段をさらに備え、
前記清浄度算出制御手段は、前記頂点時間帯抽出手段によって抽出された日付及び時間帯に前記計測手段によって計測されたデータを用いて、前記復水器の清浄度を算出するように前記清浄度算出手段の算出を制御する、
請求項２に記載の復水器清浄度管理装置。
【請求項４】
前記頂点時間帯抽出手段によって抽出された日付及び時間帯のうちから、小潮の日である日付及び時間帯を抽出する小潮時間帯抽出手段をさらに備え、
前記清浄度算出制御手段は、前記小潮時間帯抽出手段によって抽出された日付及び時間
帯に前記計測手段によって計測されたデータを用いて、前記復水器の清浄度を算出するように前記清浄度算出手段の算出を制御する、
請求項３に記載の復水器清浄度管理装置。
【請求項５】
海水を利用する復水器の清浄度を管理する復水器清浄度管理装置が実行する方法であって、
前記復水器清浄度管理装置は、
日付ごとの時刻に対応付けて潮位を予め算出した潮位表を記憶する潮位表記憶手段と、
前記復水器の清浄度を算出するためのデータを計測する計測手段と、
前記計測手段によって計測されたデータの所定時間の平均値と、算出において用いられる固定値である設定値とに基づいて、前記復水器の清浄度を算出する清浄度算出手段と、
を備え、
前記方法は、
前記潮位表記憶手段に基づいて、冷却水流量の前記固定値に対応するポンプ全揚程の値になるように設定された所定の潮位と同じ潮位になる日付及び時間帯を抽出する時間帯抽出ステップと、
前記時間帯抽出ステップによって抽出された日付及び時間帯に前記計測手段によって計測されたデータを用いて、前記復水器の清浄度を算出するように前記清浄度算出手段の算出を制御する清浄度算出制御ステップと、
を備える方法。
【発明の詳細な説明】
【技術分野】
【０００１】
本発明は、復水器清浄度の傾向管理についての復水器清浄度管理装置及び方法に関する。
【背景技術】
【０００２】
従来より、火力発電所や原子力発電所等の熱サイクルプラントにおいて、復水器は、蒸気タービンを稼働させた蒸気を冷却し、水に戻して復水とする。この過程において蒸気を冷却する冷却水として海水を利用する場合、復水器は、海水が流れる冷却水管と蒸気との間で熱交換を行い、蒸気を冷却する。海水を利用すると、海水に含まれる貝等の海生生物が冷却水管に付着し、復水器の清浄度が低下し、熱交換性能が低下する。このため、通常、定期的に復水器冷却水管の洗浄等が行われ、清浄度が保持され、復水器の熱交換性能の維持が図られている。
【０００３】
このような復水器の性能を診断するための技術を開示する特許文献１が知られている。特許文献１に開示された復水器性能診断装置は、負荷に応じて設定した冷却管清浄度の基準値と、性能診断時の冷却管清浄度計算結果との比較診断から冷却管清浄度変化を判定する。
【０００４】
また、復水器の性能を効率的に制御するための技術を開示する特許文献２が知られている。特許文献２に開示された復水器システムは、復水器冷却器の循環水ポンプの回転数を制御する制御手段を有する復水器システムである。制御手段は、実測データに基づいて、復水器冷却器冷却水の流量、復水器冷却器内の冷却水流速等の値が所定の範囲に入るように制御する。
【先行技術文献】
【特許文献】
【０００５】
【特許文献１】特開平０５−１４１８７９号公報
【特許文献２】特開２００３−３４３２１１号公報
【発明の概要】
【発明が解決しようとする課題】
【０００６】
ここで、復水器の清浄度は、次のような計算式によって計算される。
復水器清浄度＝熱貫流率／基準熱貫流率×１００
熱貫流率＝比重×比熱×冷却水量／（伝熱面積×対数平均温度差）
対数平均温度差＝（出口海水温度−入口海水温度）／
ｌｎ（ＡＢＳ（（ＴＳ−入口海水温度）／（ＴＳ−出口海水温度）））
ＴＳ：真空度における飽和温度
基準熱貫流率＝設計熱貫流率×冷却水入口温度補正係数×ＳＱＲ（管内冷却水速度）／（細管清浄度係数設計値×冷却水入口温度補正係数設計値×ＳＱＲ（管内冷却水速度設計値））
管内冷却水速度＝冷却水量／（管内流路断面積×３６００）
【０００７】
上述の計算式において用いられる海水温度や、真空度の計測は、常時行われている。冷却水量は、循環ポンプ吐出流量を計測することによって得られるが、例えば、復水器の清浄度の管理は、月１回程度の頻度であり、通常運転中の冷却水量は、ほぼ一定であるので、計算式に用いられる冷却水量の値に、プラントによる固定値、例えば、３５０００ｍ３／ｈが用いられる。
【０００８】
そこで、冷却水量として固定値を用いる簡易算出であっても復水器の清浄度を適切に算出し、清浄度の傾向を管理することができる装置が求められている。
【０００９】
本発明は、冷却水量として固定値を用いる簡易算出であっても復水器の清浄度を適切に算出し、清浄度の傾向を管理することができる復水器清浄度管理装置及び方法を提供することを目的とする。
【課題を解決するための手段】
【００１０】
本発明では、以下のような解決手段を提供する。
【００１１】
（１）  海水を利用する復水器の清浄度を管理する復水器清浄度管理装置であって、日付ごとの時刻に対応付けて潮位を予め算出した潮位表を記憶する潮位表記憶手段と、前記復水器の清浄度を算出するためのデータを計測する計測手段と、前記計測手段によって計測されたデータの所定時間の平均値と、算出において用いられる固定値である設定値とに基づいて、前記復水器の清浄度を算出する清浄度算出手段と、前記潮位表記憶手段に基づいて、所定の潮位になる日付及び時間帯を抽出する時間帯抽出手段と、前記時間帯抽出手段によって抽出された日付及び時間帯に前記計測手段によって計測されたデータを用いて、前記復水器の清浄度を算出するように前記清浄度算出手段の算出を制御する清浄度算出制御手段と、を備える復水器清浄度管理装置。
【００１２】
（１）の構成によれば、本発明に係る復水器清浄度管理装置は、日付ごとの時刻に対応付けて潮位を予め算出した潮位表を記憶する潮位表記憶手段と、復水器の清浄度を算出するためのデータを計測する計測手段と、計測手段によって計測されたデータの所定時間の平均値と、算出において用いられる固定値である設定値とに基づいて、復水器の清浄度を算出する清浄度算出手段とを備える。そして、復水器清浄度管理装置は、潮位表記憶手段に基づいて、所定の潮位になる日付及び時間帯を抽出し、抽出した日付及び時間帯に計測手段によって計測されたデータを用いて、復水器の清浄度を算出するように清浄度算出手段の算出を制御する。
【００１３】
すなわち、本発明に係る復水器清浄度管理装置は、所定の潮位になる日付及び時間帯に計測されたデータを用いて、復水器の清浄度を計算する。
したがって、復水器清浄度管理装置は、冷却水量として固定値を用いる簡易算出であっても、復水器の清浄度を適切に算出し、同じ所定の潮位における清浄度の傾向を管理することができる。
【００１４】
（２）  前記時間帯抽出手段によって抽出された日付及び時間帯のうちから、前記所定時間における潮位の変動差が所定の範囲内である日付及び時間帯を抽出する変動範囲内時間帯抽出手段をさらに備え、前記清浄度算出制御手段は、前記変動範囲内時間帯抽出手段によって抽出された日付及び時間帯に前記計測手段によって計測されたデータを用いて、前記復水器の清浄度を算出するように前記清浄度算出手段の算出を制御する、（１）に記載の復水器清浄度管理装置。
【００１５】
すなわち、（２）に係る復水器清浄度管理装置は、平均値を求める所定時間（例えば、２時間）における潮位の変動差が所定の範囲（例えば、５０ｃｍ）内である日付及び時間帯をさらに抽出し、抽出した時間帯に計測されたデータを用いて、復水器の清浄度を算出するように清浄度算出手段の算出を制御する。抽出した日付及び時間帯における潮位の差は、データを平均する時間内の変動差が計算式の値に影響を与えない範囲（例えば２時間の変動差が５０ｃｍ）である。
したがって、復水器清浄度管理装置は、冷却水量として固定値、例えば、３５０００ｍ３／ｈを用いる簡易算出であっても、潮位の変動差が少ない日付及び時間帯に計測されたデータを用いて、復水器の清浄度を適切に算出し、清浄度の傾向を管理することができる。
【００１６】
（３）  前記変動範囲内時間帯抽出手段によって抽出された日付及び時間帯のうちから、潮位の頂点の時刻を含む日付及び時間帯を抽出する頂点時間帯抽出手段をさらに備え、前記清浄度算出制御手段は、前記頂点時間帯抽出手段によって抽出された日付及び時間帯に前記計測手段によって計測されたデータを用いて、前記復水器の清浄度を算出するように前記清浄度算出手段の算出を制御する、（２）に記載の復水器清浄度管理装置。
【００１７】
すなわち、（３）に係る復水器清浄度管理装置は、満潮時刻又は干潮時刻を含む日付及び時間帯をさらに抽出し、抽出した時間帯に計測されたデータを用いて、復水器の清浄度を算出するように清浄度算出手段の算出を制御する。
したがって、（３）に係る復水器清浄度管理装置は、潮位の変動差がさらに小さい日付及び時間帯に計測されたデータを用いて、復水器の清浄度を算出するので、冷却水量として固定値、例えば、３５０００ｍ３／ｈを用いる簡易算出であっても、復水器の清浄度をさらに適切に算出し、清浄度の傾向を管理することができる。
【００１８】
（４）  前記頂点時間帯抽出手段によって抽出された日付及び時間帯のうちから、小潮の日である日付及び時間帯を抽出する小潮時間帯抽出手段をさらに備え、前記清浄度算出制御手段は、前記小潮時間帯抽出手段によって抽出された日付及び時間帯に前記計測手段によって計測されたデータを用いて、前記復水器の清浄度を算出するように前記清浄度算出手段の算出を制御する、（３）に記載の復水器清浄度管理装置。
【００１９】
すなわち、（４）に係る復水器清浄度管理装置は、干満の差が月内で最も小さい小潮の日である日付及び時間帯を抽出し、抽出した時間帯に計測されたデータを用いて復水器の清浄度を算出するように清浄度算出手段の算出を制御する。
したがって、（４）に係る復水器清浄度管理装置は、月ごとに潮位の変動差が最も小さい日付及び時間帯に計測されたデータを用いて、復水器の清浄度を算出するので、冷却水量として固定値、例えば、３５０００ｍ３／ｈを用いる簡易算出であっても、復水器の清浄度をさらに適切に算出し、清浄度の傾向を管理することができる。
【００２０】
（５）  海水を利用する復水器の清浄度を管理する復水器清浄度管理装置が実行する方法であって、前記復水器清浄度管理装置は、日付ごとの時刻に対応付けて潮位を予め算出した潮位表を記憶する潮位表記憶手段と、前記復水器の清浄度を算出するためのデータを計測する計測手段と、前記計測手段によって計測されたデータの所定時間の平均値と、算出において用いられる固定値である設定値とに基づいて、前記復水器の清浄度を算出する清浄度算出手段と、を備え、前記方法は、前記潮位表記憶手段に基づいて、所定の潮位になる日付及び時間帯を抽出する時間帯抽出ステップと、前記時間帯抽出ステップによって抽出された日付及び時間帯に前記計測手段によって計測されたデータを用いて、前記復水器の清浄度を算出するように前記清浄度算出手段の算出を制御する清浄度算出制御ステップと、を備える方法。
【００２１】
したがって、（５）の方法は、（１）と同様に、冷却水量として固定値を用いる簡易算出であっても、復水器の清浄度を適切に算出し、清浄度の傾向を管理することができる。
【発明の効果】
【００２２】
本発明によれば、冷却水量として固定値を用いる簡易算出であっても、復水器の清浄度を適切に算出し、清浄度の傾向を管理することができる。
【図面の簡単な説明】
【００２３】
【図１】本発明の一実施形態に係る復水器清浄度管理装置の機能構成を示す機能ブロック図である。
【図２】本発明の一実施形態に係る復水器清浄度管理装置と、復水器との関係を説明する図である。
【図３】本発明の一実施形態に係る復水器清浄度管理装置において、復水器に冷却水を送る循環器ポンプと潮位との関係を説明する図である。
【図４】本発明の一実施形態に係る復水器清浄度管理装置において、各項目と計算式との関係を説明する図である。
【図５】本発明の一実施形態に係る復水器清浄度管理装置において、ポンプ全揚程と循環ポンプ吐出流量との関係を説明する図である。
【図６】本発明の一実施形態に係る復水器清浄度管理装置の潮位表ＤＢの例を示す図である。
【図７】本発明の一実施形態に係る復水器清浄度管理装置のハードウェア構成を示すブロック図である。
【図８】本発明の一実施形態に係る復水器清浄度管理装置の処理内容を示すフローチャートである。
【発明を実施するための形態】
【００２４】
以下、本発明の実施形態について図を参照しながら説明する。
【００２５】
図１は、本発明の一実施形態に係る復水器清浄度管理装置１０の機能構成を示す機能ブロック図である。図６は、本発明の一実施形態に係る復水器清浄度管理装置１０の潮位表ＤＢ（ＤａｔａＢａｓｅ）３１の例を示す図である。
【００２６】
復水器清浄度管理装置１０は、潮位表記憶手段としての潮位表ＤＢ３１と、計測手段としての計測部１１と、清浄度算出手段としての清浄度算出部１２と、時間帯抽出手段としての時間帯抽出部１３と、清浄度算出制御手段としての清浄度算出制御部１４とを備える。以下、各部について詳述する。
【００２７】
潮位表ＤＢ３１は、日付ごとの時刻に対応付けて潮位を予め算出した潮位表を記憶する。具体的には、潮位表ＤＢ３１は、気象庁が予測している潮位の予測値（天文潮位）をダウンロードして記憶している。例えば、図６に示すように、日付ごとの１時間ごとに潮位を記憶し、満潮か干潮かについても記憶している。また、潮位表は朔（新月）、望（満月）、上弦、下弦の月に当たる日を記憶している。ここで、朔（新月）、望（満月）に当たる日の前後数日間は、潮位の満潮・干潮の差が大きくなる大潮であり、上弦の月、下弦の月に当たる日の前後数日間は、潮位の満潮・干潮の差が小さくなる小潮である。
【００２８】
計測部１１は、復水器３０１の清浄度を算出するためのデータを計測する。具体的には、計測部１１は、復水器３０１の入口海水温度と、復水器３０１の出口海水温度と、復水器３０１の真空度とを配置されたそれぞれの計測器（図２において後述する、入口温度センサ４０１ａ、４０１ｂと、出口温度センサ４０２ａ、４０２ｂと、圧力センサ４０３ａ、４０３ｂ）によって計測する。
【００２９】
清浄度算出部１２は、計測部１１によって計測されたデータの所定時間の平均値と、算出において用いられる固定値である設定値とに基づいて、復水器３０１の清浄度を算出する。具体的には、清浄度算出部１２は、引数として渡されたデータ、例えば計測されたデータの２時間の平均値が渡されると、比重、比熱、伝熱面積、管内流路断面積、各種設計値等についての固定値である設定値を用いて、上述の計算式により、復水器３０１の清浄度を算出する。
【００３０】
時間帯抽出部１３は、潮位表ＤＢ３１に基づいて、所定の潮位になる日付及び時間帯を抽出する。より具体的には、時間帯抽出部１３は、冷却水流量の固定値（例えば、３５０００ｍ３／ｈ）に対応するポンプ全揚程の値（例えば、後述する図５の約１２．５ｍ）になるように設定された所定の潮位と、同じ潮位になる日付及び時間帯を抽出する。時間帯の幅は、計測されたデータを平均する時間（例えば、２時間）である。
【００３１】
清浄度算出制御部１４は、時間帯抽出部１３によって抽出された日付及び時間帯に計測部１１によって計測されたデータを用いて、復水器３０１の清浄度を算出するように清浄度算出部１２の算出を制御する。具体的には、清浄度算出制御部１４は、時間帯抽出部１３によって抽出された日付及び時間帯に計測部１１によって計測されたデータを用いて所定時間の平均値を求め、求めた平均値を清浄度算出部１２のインターフェースに基づいて引数として渡す。清浄度算出制御部１４によって制御されて算出された清浄度は、冷却水流量の固定値に対応するように設定された所定の潮位での清浄度であるので、復水器清浄度管理装置１０は、冷却水量として固定値を用いる簡易算出であっても、復水器３０１の清浄度を適切に算出し、同じ潮位での清浄度の傾向を管理することができる。
【００３２】
さらに、復水器清浄度管理装置１０は、変動範囲内時間帯抽出手段としての変動範囲内時間帯抽出部１３１と、頂点時間帯抽出手段としての頂点時間帯抽出部１３２と、小潮時間帯抽出手段としての小潮時間帯抽出部１３３とを備えている。
【００３３】
変動範囲内時間帯抽出部１３１は、時間帯抽出部１３によって抽出された日付及び時間帯のうちから、所定時間における潮位の変動差が所定の範囲内である日付及び時間帯を抽出する。具体的には、変動範囲内時間帯抽出部１３１は、時間帯抽出部１３によって抽出された日付及び時間帯のうちから、その時間帯に含まれる時間に潮位表ＤＢ３１において対応付けられた潮位を取得し、取得した潮位を比較して、計測されたデータの平均値を求める所定時間（例えば、２時間）内の潮位の変動差が所定の範囲（例えば、５０ｃｍ）内である日付及び時間帯を抽出する。
そして、清浄度算出制御部１４は、変動範囲内時間帯抽出部１３１によって抽出された日付及び時間帯に計測部１１によって計測されたデータを用いて、復水器３０１の清浄度を算出するように清浄度算出部１２の算出を制御する。すなわち、清浄度算出制御部１４は、変動範囲内時間帯抽出部１３１によって抽出された日付及び時間帯に計測部１１によって計測されたデータの所定時間の平均値を、清浄度算出部１２に引数として渡す。
【００３４】
頂点時間帯抽出部１３２は、変動範囲内時間帯抽出部１３１によって抽出された日付及び時間帯のうちから、潮位の頂点の時刻を含む日付及び時間帯を抽出する。具体的には、頂点時間帯抽出部１３２は、変動範囲内時間帯抽出部１３１によって抽出された日付及び時間帯のうちから、潮位表ＤＢ３１に記憶された満潮の時刻又は干潮の時刻を含む日付及び時間帯を抽出する。
そして、清浄度算出制御部１４は、頂点時間帯抽出部１３２によって抽出された日付及び時間帯に計測部１１によって計測されたデータを用いて、復水器３０１の清浄度を算出するように清浄度算出部１２の算出を制御する。すなわち、清浄度算出制御部１４は、頂点時間帯抽出部１３２によって抽出された日付及び時間帯に計測部１１によって計測されたデータの所定時間の平均値を、清浄度算出部１２に引数として渡す。
【００３５】
小潮時間帯抽出部１３３は、頂点時間帯抽出部１３２によって抽出された日付及び時間帯のうちから、小潮の日である日付及び時間帯を抽出する。具体的には、小潮時間帯抽出部１３３は、頂点時間帯抽出部１３２によって抽出された日付及び時間帯のうちから、潮位表ＤＢ３１に記憶された上弦の月に当たる日付又は下弦の月に当たる日付である日付及び時間帯を抽出する。
そして、清浄度算出制御部１４は、小潮時間帯抽出部１３３によって抽出された日付及び時間帯に計測部１１によって計測されたデータを用いて、復水器３０１の清浄度を算出するように清浄度算出部１２の算出を制御する。すなわち、清浄度算出制御部１４は、小潮時間帯抽出部１３３によって抽出された日付及び時間帯に計測部１１によって計測されたデータの所定時間の平均値を、清浄度算出部１２に引数として渡す。
【００３６】
図２は、本発明の一実施形態に係る復水器清浄度管理装置１０と、復水器３０１との関係を説明する図である。図２において、取水口（図示せず）から取水された海水は、循環ポンプ１０１によって汲み上げられ、循環水ポンプ出口弁７０、復水器水室入口弁７１ａ、７１ｂを経て、循環水配管を通って復水器３０１に冷却水として流入する。さらに、冷却水として流入した海水は、冷却管を流れて熱交換により蒸気を冷却し、復水器水室出口弁５７ａ、５７ｂを経て放水口（図示せず）で海に排出される。
【００３７】
図２において、復水器清浄度管理装置１０は、復水器の入口海水温度を計測する入口温度センサ４０１ａ、４０１ｂと、復水器３０１の出口海水温度を計測する出口温度センサ４０２ａ、４０２ｂと、復水器３０１の真空度を計測する圧力センサ４０３ａ、４０３ｂとから、それぞれが計測したデータを受信する。復水器清浄度管理装置１０は、所定の条件を満たす潮位での復水器３０１の清浄度を適切に算出し、算出した清浄度を出力（例えば、表示部２０１４に表示）する。
【００３８】
図３は、本発明の一実施形態に係る復水器清浄度管理装置１０において、復水器３０１に冷却水を送る循環器ポンプと潮位との関係を説明する図である。図３において、圧力計中心の高さＨ１は、循環ポンプ１０１から圧力の測定位置までの高さであり、循環ポンプ吸込潮位Ｈ２は、循環ポンプ１０１から海面までの高さである。
【００３９】
図４は、本発明の一実施形態に係る復水器清浄度管理装置１０において、各項目と計算式との関係を説明する図である。図５は、本発明の一実施形態に係る復水器清浄度管理装置１０において、ポンプ全揚程と循環ポンプ吐出流量との関係を説明する図である。
図４の式５から、全揚程は、循環ポンプ吸込潮位Ｈ２が大きくなる（すなわち、潮位が下がる）と大きくなる。図５が示す関係から、全揚程が大きくなると、循環ポンプ吐出流量が小さくなる。すなわち、潮位が下がると、循環ポンプ吐出流量は小さくなる。よって、循環ポンプ吐出流量である冷却水量に固定値（例えば、固定値３５０００ｍ３／ｈ）を用いる場合、固定値に対応する潮位でのデータを用いることによって、復水器清浄度管理装置１０は、冷却水量が固定値であっても、適切な清浄度を算出する。
【００４０】
図７は、本発明の一実施形態に係る復水器清浄度管理装置１０のハードウェア構成を示すブロック図である。図７に示すように、復水器清浄度管理装置１０は、ＣＰＵ（Ｃｅｎｔｒａｌ  Ｐｒｏｃｅｓｓｉｎｇ  Ｕｎｉｔ）２０１１、メモリ２０１２、操作部２０１３、表示部２０１４、Ｉ／Ｏコントローラ１０７０、通信Ｉ／Ｆ１０４０及び機器Ｉ／Ｆ２０１６がバスライン２０５０により接続されて構成されている。
【００４１】
ＣＰＵ２０１１は、復水器清浄度管理装置１０を統括的に制御する部分であり、メモリ２０１２に記憶された各種プログラムを適宜読み出して実行することにより、上述したハードウェアと協働し、本発明に係る各種機能を実現している。メモリ２０１２は、適宜読み出して実行されるプログラムを記憶し、プログラムの実行によって作成される種々の情報を記憶する。
【００４２】
操作部２０１３は、各種設定や入力操作を行う操作ボタン群、決定操作ボタン等を備えており、操作部２０１３による入力情報はＣＰＵ２０１１の制御下で処理される。すなわち、ユーザは、操作部２０１３を介して、必要な各種の設定操作、又は指定操作等が可能である。表示部２０１４は、ＬＣＤ（Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｅｎｃｅ）によって構成され、各種情報を表示する。
【００４３】
Ｉ／Ｏコントローラ１０７０には、ハードディスク１０７４等の記憶手段を接続することができる。ハードディスク１０７４は、復水器清浄度管理装置１０が本発明の機能を実行するためのプログラムを記憶している。さらに、ハードディスク１０７４は、潮位表ＤＢ３１や、計測したデータ等を記憶している。
【００４４】
通信Ｉ／Ｆ１０４０は、復水器清浄度管理装置１０を専用ネットワーク又は公共ネットワークを介して他のサーバ等と接続でき、例えば、潮位表ＤＢ３１のデータをダウンロードするためのネットワーク・アダプタである。
【００４５】
機器Ｉ／Ｆ２０１６は、復水器清浄度管理装置１０と、入口温度センサ４０１ａ、４０１ｂ、出口温度センサ４０２ａ、４０２ｂ、圧力センサ４０３ａ、４０３ｂ等とを接続し、温度データや圧力データ（真空度データ）を受信できるようにするためのインターフェースである。
【００４６】
図８は、本発明の一実施形態に係る復水器清浄度管理装置１０の処理内容を示すフローチャートである。
【００４７】
ステップＳ１０１において、ＣＰＵ２０１１（時間帯抽出部１３）は、潮位表ＤＢ３１に基づいて所定の潮位になる日付及び時間帯を抽出する。より具体的には、ＣＰＵ２０１１は、設定されている所定の潮位に基づいて、潮位表ＤＢ３１を検索し、所定時間（例えば、２時間）内で所定の潮位になる日付及び時間帯を抽出する。その後、ＣＰＵ２０１１は、処理をステップＳ１０２に移す。
【００４８】
ステップＳ１０２において、ＣＰＵ２０１１（清浄度算出制御部１４）は、所定の潮位の時間帯で清浄度を算出するか否かを判断する。例えば、ＣＰＵ２０１１は、清浄度を算出するための時間帯を示すために予め設定された算出モードフラグが、所定の潮位の時間帯で清浄度を算出するように設定されているか否かを判断する。この判断がＹＥＳの場合、ＣＰＵ２０１１は、処理をステップＳ１０８に移し、ＮＯの場合、ＣＰＵ２０１１は、処理をステップＳ１０３に移す。
【００４９】
ステップＳ１０３において、ＣＰＵ２０１１（変動範囲内時間帯抽出部１３１）は、ステップＳ１０１において抽出した日付及び時間帯のうちから、潮位の変動差が所定の範囲内の日付及び時間帯を抽出する。より具体的には、ＣＰＵ２０１１は、計測されたデータを平均するための所定時間（例えば、２時間）における潮位の変動差が所定の範囲（例えば、５０ｃｍ）内の日付及び時間帯を抽出する。その後、ＣＰＵ２０１１は、処理をステップＳ１０４に移す。
【００５０】
ステップＳ１０４において、ＣＰＵ２０１１（清浄度算出制御部１４）は、変動範囲内の時間帯で清浄度を算出するか否かを判断する。例えば、ＣＰＵ２０１１は、算出モードフラグが、変動範囲内の時間帯で清浄度を算出するように設定されているか否かを判断する。この判断がＹＥＳの場合、ＣＰＵ２０１１は、処理をステップＳ１０８に移し、ＮＯの場合、ＣＰＵ２０１１は、処理をステップＳ１０５に移す。
【００５１】
ステップＳ１０５において、ＣＰＵ２０１１（頂点時間帯抽出部１３２）は、ステップＳ１０３において抽出した日付及び時間帯のうちから、満潮又は干潮の時刻を含む日付及び時間帯を抽出する。より具体的には、ＣＰＵ２０１１は、抽出した日付及び時間帯のうちから、潮位表ＤＢ３１に記憶されている満潮の時刻又は干潮の時刻を含む日付及び時間帯を抽出する。その後、ＣＰＵ２０１１は、処理をステップＳ１０６に移す。
【００５２】
ステップＳ１０６において、ＣＰＵ２０１１（清浄度算出制御部１４）は、満潮又は干潮の時間帯で清浄度を算出するか否かを判断する。例えば、ＣＰＵ２０１１は、算出モードフラグが、満潮又は干潮の時間帯で清浄度を算出するように設定されているか否かを判断する。この判断がＹＥＳの場合、ＣＰＵ２０１１は、処理をステップＳ１０８に移し、ＮＯの場合、ＣＰＵ２０１１は、処理をステップＳ１０７に移す。
【００５３】
ステップＳ１０７において、ＣＰＵ２０１１（小潮時間帯抽出部１３３）は、ステップＳ１０５で抽出した日付及び時間帯のうちから、小潮の日付及び時間帯を抽出する。より具体的には、ＣＰＵ２０１１は、抽出した日付及び時間帯のうちから、潮位表ＤＢ３１に記憶されている上弦の月の日付又は下弦の月の日付である日付及び時間帯を抽出する。その後、ＣＰＵ２０１１は、処理をステップＳ１０８に移す。
【００５４】
ステップＳ１０８において、ＣＰＵ２０１１（計測部１１、清浄度算出部１２、清浄度算出制御部１４）は、抽出した日付及び時間帯に計測されたデータの平均値を算出し、算出した平均値を用いて、清浄度を算出する。その後、ＣＰＵ２０１１は、処理を終了する。
【００５５】
本実施形態によれば、復水器清浄度管理装置１０は、日付ごとの時刻に対応付けて潮位を予め算出した潮位表を記憶する潮位表ＤＢ３１と、復水器３０１の清浄度を算出するためのデータを計測する計測部１１と、計測部１１によって計測されたデータの所定時間の平均値と、算出において用いられる固定値である設定値とに基づいて、復水器３０１の清浄度を算出する清浄度算出部１２とを備える。そして、復水器清浄度管理装置１０は、潮位表ＤＢ３１に基づいて、所定の潮位になる日付及び時間帯を抽出し、抽出した日付及び時間帯に計測部１１によって計測されたデータを用いて、復水器３０１の清浄度を算出するように清浄度算出部１２の算出を制御する。
さらに、復水器清浄度管理装置１０は、平均値を求める所定時間（例えば、２時間）における潮位の変動差が所定の範囲（例えば、５０ｃｍ）内である日付及び時間帯を抽出し、抽出した時間帯に計測されたデータを用いて、復水器３０１の清浄度を算出するように清浄度算出部１２の算出を制御する。
さらに、復水器清浄度管理装置１０は、満潮時刻又は干潮時刻を含む日付及び時間帯を抽出し、抽出した時間帯に計測されたデータを用いて、復水器３０１の清浄度を算出するように清浄度算出部１２の算出を制御する。
さらに、復水器清浄度管理装置１０は、干満の差が月内で最も小さい小潮の日である日付及び時間帯を抽出し、抽出した時間帯に計測されたデータを用いて、復水器３０１の清浄度を算出するように清浄度算出部１２の算出を制御する。
したがって、復水器清浄度管理装置１０は、冷却水量として固定値を用いる簡易算出であっても、復水器３０１の清浄度を適切に算出し、清浄度の傾向を管理することができる。
【００５６】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５７】
１０    復水器清浄度管理装置
１１    計測部
１２    清浄度算出部
１３    時間帯抽出部
１３１  変動範囲内時間帯抽出部
１３２  頂点時間帯抽出部
１３３  小潮時間帯抽出部
１４    清浄度算出制御部
３１    潮位表ＤＢ
【図１】
0005415482.tif 000002
【図２】
0005415482.tif 000003
【図３】
0005415482.tif 000004
【図４】
0005415482.tif 000005
【図５】
0005415482.tif 000006
【図６】
0005415482.tif 000007
【図７】
0005415482.tif 000008
【図８】
0005415482.tif 000009